(57)【特許請求の範囲】
【請求項１】
ディスクモータと、
このディスクモータを電流リミット指令信号により制御された速度で駆動する駆動回路と、
前記駆動回路と接地間に接続されたリミッタ抵抗と、
このリミッタ抵抗と前記駆動回路の接続点と、コンパレータの一方の入力端子との間に接続された第１のバイアス抵抗と、
前記コンパレータの他方の入力端子と接地間に接続された過電流検出基準電圧源と、
前記コンパレータの一方の入力端子に第２、第３のバイアス抵抗を直列に介して接続された制御基準電圧の供給部と、
前記第２と第３のバイアス抵抗の接続部に外部論理信号を与える端子と
を有し、
前記コンパレータの一方の入力端子に供給されるモータ電流に比例したセンス電圧に対して、前記センス電圧に対して、制御基準電圧と前記再生倍速をハイレベル、ローレベル、ハイインピーダンスレベルで切り替指定する外部論理信号とできまるバイアス電圧を加え、前記バイアス電圧が加えられたセンス電圧と過電流検出基準電圧とが前記コンパレータで比較され、この比較結果得られる電圧をリミッタ指令として前記駆動回路に与え、前記ディスクモータのリミッタ電流値の設定を可変ようにしたことを特徴とする、
ディスクモータのリミッタ電流切替え装置。
【発明の詳細な説明】
【０００１】
【発明の属する技術分野】
本発明は、ＣＤ−ＲＯＭ等の光ディスク装置に係り、特に、そのディスクモータのリミッタ電流切替方法及び装置に関する。
【０００２】
【従来の技術】
ＣＤ−ＲＯＭ等の光ディスク装置においては、一般的に、光ディスクを回転駆動するディスクモータに、一定以上の電流が流れないようにするための過電流保護回路がディスクモータ駆動回路系に含まれている。
【０００３】
この過電流保護回路を用いることにより、ディスクモータのリミッタ電流が設定されるが、その設定値は、光ディスク装置の消費電流とディスクモータの加減速性能を考慮して定められている。
【０００４】
【発明が解決しようとする課題】
ところで、一般的に、ＣＤ−ＲＯＭ等の光ディスク装置は、多様なメディア  （ノーマルディスク、イレギュラディスク、オーディオディスク等）に対応するため、ディスク再生倍速の切替を行っている。
【０００５】
この場合、例えば、ノーマルディスク等に適用される最高倍速再生時のディスクモータの回転速度については、更なる高速化に伴い、例えば、イレギュラディスクやオーディオディスク等に適用される低倍速との差が広がってきているのが現状である。
【０００６】
そして、ノーマルディスク等に適用される最高倍速時におけるディスクモータの加減速性能を保つために、ディスクモータのリミッタ電流値は、従来のそれよりもより高く、すなわち、最高倍速用に固定で設定されている。
【０００７】
また、イレギュラディスクやオーディオディスク等に適用される低倍速時においても、従来と比べリミッタ領域が広がったため、ディスクモータの加滅速時のピーク電流が多く流れこととなる。
【０００８】
そのため、ディスクモータのピーク電流が全体的に増加することにより、低消費電力化を損なうという問題が起きている。
すなわち、上述したように、従来のＣＤ−ＲＯＭ等の光ディスク装置においては、一般的に、ディスクモータに一定以上の電流が流れるのを防ぐ過電流保護回路が駆動回路系に含まれているが、高倍速対応としてリミッタ電流値は、従来のそれよりも高めに設定して加減速性能の維持を図っているため、低倍速における加滅速のピーク電流が従来より大きくなる傾向にあり、ディスクモータのピーク電流が全体的に増加することにより、低消費電力化の妨げとなっている。
【０００９】
本発明は、上記の事情に鑑みてなされたもので、ＣＤ−ＲＯＭ等の光ディスク装置において、特にファームウエアによりディスクモータの過電流保護回路のバイアス電圧を制御してディスクモータのリミッタ電流を再生倍速に応じて切り替えることにより、低消費電力化を可能としたディスクモータのリミッタ電流切替え装置を提供することを目的とする。
【００１０】
【課題を解決するための手段】
本発明は、光ディスク装置において、ディスクモータと、このディスクモータを電流リミット指令信号により制御された速度で駆動する駆動回路と、前記駆動回路と接地間に接続されたリミッタ抵抗と、このリミッタ抵抗と前記駆動回路の接続点と、コンパレータの一方の入力端子との間に接続された第１のバイアス抵抗と、前記コンパレータの他方の入力端子と接地間に接続された過電流検出基準電圧源と、前記コンパレータの一方の入力端子に第２、第３のバイアス抵抗を直列に介して接続された制御基準電圧の供給部と、前記第２と第３のバイアス抵抗の接続部に外部論理信号を与える端子とを有し、前記コンパレータの一方の入力端子に供給されるモータ電流に比例したセンス電圧に対して、前記センス電圧に対して、制御基準電圧と前記再生倍速をハイレベル、ローレベル、ハイインピーダンスレベルで切り替指定する外部論理信号とできまるバイアス電圧を加え、前記バイアス電圧が加えられたセンス電圧と過電流検出基準電圧とが前記コンパレータで比較され、この比較結果得られる電圧をリミッタ指令として前記駆動回路に与え、前記ディスクモータのリミッタ電流値の設定を可変ようにしたことを特徴とする。
【００１７】
【発明の実施の形態】
以下図面を参照して本発明の実施の形態について説明する。
図１は、本発明によるＣＤ−ＲＯＭ等の光ディスク装置におけるディスクモータのリミッタ電流切替方法及び装置として適用される過電流保護回路を含むモータ駆動系のブロック図を示す。
【００１８】
図１に示すように、モータ駆動系には、例えば、三相ブラシレスモータ等でなるディスクモータ１０に一定以上の電流が流れるのを防ぐために、コンパレータ１１を含んで構成される過電流保護回路１２が備えてある。
【００１９】
この過電流保護回路１２では、ディスクモータ１０の駆動回路１３と接地ＧＮＤ間に直列にリミッタ抵抗ＲＬを挿入し、このリミッタ抵抗ＲＬの両端にかかるモータ電流に比例したセンス電圧ＳＥをコンパレータ１１によりモニタする。
【００２０】
そして、コンパレータ１１により、センス電圧ＳＥと過電流保護回路１２内の過電流検出基準電圧ＲＥＦとを比較して、それを超えないよう駆動回路１３を介してディスクモータ１０にリミッタを掛けるようになっている。
【００２１】
そして、本発明では、後述する外部論理信号Ｈ，Ｌ，ＨｉＺと制御基準電圧Ｖｒｅｆとに基づいてバイアス抵抗Ｒ１，Ｒ２，Ｒ３によって分圧されて生成されるバイアス電圧をセンス電圧に加えることにより、ディスクモータ１０に流れるモータ電流のリミット値の切替を可能にする。
【００２２】
この場合、図１に示すように、外部論理信号をＨ（ハイレベル），Ｌ（ローレベル），ＨｉＺ（ハイインピーダンスレベル）の３通りで切替を行うことにより、生成されるバイアス電圧がそれぞれ切り替わり、そのバイアス電圧がセンス電圧ＳＥに加わることで、見かけ上、過電流保護回路１２内の過電流検出基準電圧ＲＥＦが３通りに切り替えられるようになる。
【００２３】
ここで、外部論理信号Ｈ，Ｌ，ＨｉＺは、例えば、ＣＤ−ＲＯＭ等の光ディスク装置において、多様なメディア（ノーマルディスク、イレギュラディスク、オーディオディスク等）に対応してディスク再生倍速の切替に基づいて図示しない光ディスク再生系を制御するＣＰＵ等を含むファームウェアにより、過電流保護回路１２のバイアス電圧を制御するために供給されるものである。
【００２４】
図２は、ファームウェアによるバイアス電圧の制御形態を例示するフローチャートである。
すなわち、この場合、被再生用の光ディスクがオーディオディスク等（メディアＡ）であるときには、ディスクモータ１０に対して、図示しないファームウェアによりバイアス電圧を制御するために供給される外部論理信号Ｈにより、過電流保護回路１２及び駆動回路１３を介して低倍速のリミッタ電流値が適用される（ステップＳ１，Ｓ２）。
【００２５】
また、この場合、被再生用の光ディスクがイレギュラディスク等（メディアＢ）であるときには、ディスクモータ１０に対して、図示しないファームウェアによりバイアス電圧を制御するために供給される外部論理信号ＨｉＺにより、過電流保護回路１２及び駆動回路１３を介して中間倍速のリミッタ電流値が適用される（ステップＳ３，Ｓ４）。
【００２６】
また、この場合、被再生用の光ディスクがノーマルディスク等（メディアＣ）であるときには、ディスクモータ１０に対して、図示しないファームウェアによりバイアス電圧を制御するために供給される外部論理信号Ｌにより、過電流保護回路１２及び駆動回路１３を介して最高倍速のリミッタ電流値が適用される（ステップＳ５，Ｓ６）。
【００２７】
なお、ステップＳ２，Ｓ４，Ｓ６で、ディスクモータ１０をそれぞれの倍速のリミッタ電流値で駆動して所定のワークを行った後は、ステップＳ７の待機処理となるが、制御形態によってはそれぞれ図示破線のように他の倍速のリミッタ電流値での駆動に移行するようにしてもよい。
【００２８】
また、ステップＳ５で、被再生用の光ディスクがノーマルディスク等でないときには、エラー処理となる。
このようにして、ディスクモータ１０に対して、被再生用の光ディスクの再生倍速に適したリミッタ電流値が設定される。
【００２９】
なお、外部論理信号Ｈ，Ｌ，ＨｉＺは、上述したように、例えば、ＣＤ−ＲＯＭ等の光ディスク装置において、多様なメディア（ノーマルディスク、イレギュラディスク、オーディオディスク等）に対応してディスク再生倍速の切替に基づいて図示しないファームウェアによりバイアス電圧を制御するために供給されるものであるが、ディスク再生信号に含まれるＴＯＣ情報によって当該光ディスクの種別が判別されるのに基づいて供給されることになる。
【００３０】
図３は、ファームウェアによるバイアス電圧の制御形態によるディスクモータ１０の回転速度（ａ）と電流値（ｂ）との関係を例示する特性図である。
図３の（ａ），（ｂ）において、図示破線の特性は本発明による制御形態を採用しない場合の特性であり、ディスクモータ１０の回転速度は低倍速（２０００ｒｐｍ）、中間倍速、最高倍速（５４００ｒｐｍ）のそれぞれに急激に到達するような制御形態になっていると共に、ディスクモータ１０の電流値がいずれの場合でも６５０ｍＡを超える大きなものとなっている。
【００３１】
これに対し、図３の（ａ），（ｂ）において、図示実線の特性は本発明による制御形態を採用した場合の特性であり、ディスクモータ１０の回転速度は低倍速（２０００ｒｐｍ）、中間倍速、最高倍速（５４００ｒｐｍ）のそれぞれに緩やかに到達するような制御形態になっていると共に、ディスクモータ１０の電流値がいずれの場合でも３００〜６００ｍＡ程度以下の小さなものとなっている。
【００３２】
これにより、従来、最高倍速用に固定で設定されていたディスクモータのリミッタ電流値を、本発明では外部論理信号を用いて、低倍速、中間倍速、最高倍速といった各再生倍速に最適なリミッタ電流値に設定することを可能にし、光ディスク装置のピーク電流を抑えることにより、低消費電力化を実現することができる。
【００３３】
そして、上述したような実施の形態で示した本発明には、以下のような要旨が含まれている。
（１）  光ディスク装置におけるディスクモータのリミッタ電流を再生倍速に応じて切り替えることにより、低消費電力化を実現させる。
【００３４】
（２）  ディスクモータに流れる電流により生成されるセンス電圧に、過電流保護回路のバイアス電圧を加えることにより、ディスクモータのリミッタ電流値の設定を可変にする。
【００３５】
（３）  上記バイアス電圧は、制御基準電圧と外部論理信号から抵抗分圧され生成され、そのときの外部論理信号の設定により可変となると共に、リミッタ電流値の各設定は抵抗分圧比によって決定される。
【００３６】
【発明の効果】
従って、以上説明したように、本発明によれば、光ディスク装置において、特に、ファームウェアによりディスクモータの過電流保護回路のバイアス電圧を制御してディスクモータのリミッタ電流を再生倍速に応じて切り替えることにより、低消費電力化を可能としたディスクモータのリミッタ電流切替方法及び装置を提供することができる。
【図面の簡単な説明】
【図１】図１は、本発明によるＣＤ−ＲＯＭ等の光ディスク装置におけるディスクモータのリミッタ電流切替方法及び装置として適用される過電流保護回路を含むモータ駆動系のブロック図である。
【図２】図２は、ファームウェアによるバイアス電圧の制御形態を例示するフローチャートである。
【図３】図３は、ファームウェアによるバイアス電圧の制御形態によるディスクモータ１０の回転速度（ａ）と電流値（ｂ）との関係を例示する特性図である。
【符号の説明】
１０…ディスクモータ、
１１…コンパレータ、
１２…過電流保護回路、
１３…駆動回路、
ＧＮＤ…接地、
ＲＬ…リミッタ抵抗、
ＳＥ…センス電圧、
ＲＥＦ…過電流検出基準電圧，
Ｈ，Ｌ，ＨｉＺ…外部論理信号、
Ｖｒｅｆ…制御基準電圧、
Ｒ１，Ｒ２，Ｒ３…バイアス抵抗。
【図１】
0003665488.tif 000002
【図２】
0003665488.tif 000003
【図３】
0003665488.tif 000004